(57)【要約】【課題】エレベータ利用者の利便性を損なうことなく、エレベータの無駄な診断運転を極力低減させることのできるエレベータの診断運転方法、エレベータ制御装置及びエレベータの診断運転プログラムを提供する。【解決手段】エレベータドアのドア開閉診断運転を実施するエレベータ制御装置が、予め設定されているドア開閉診断運転の実施時間が到来すると、エレベータ利用者がいないかどうかを判断し、エレベータ利用者がいない場合には、各階のドア開閉診断運転を実施し、ドア開閉診断運転中に、エレベータ利用者による呼びが発生した場合には、ドア開閉診断運転を中断して当該呼びに応答し、当該呼びに応答後、ドア開閉診断運転を再開する場合には、中断前に実施済みの階床のドア開閉診断に続けてドア開閉診断運転を実施する。【選択図】図１
2019043734.tif 000002
【特許請求の範囲】
【請求項１】
エレベータドアのドア開閉診断運転を実施するエレベータ制御装置が、
予め設定されているドア開閉診断運転の実施時間が到来すると、エレベータ利用者がいないかどうかを判断し、
エレベータ利用者がいない場合には、各階のドア開閉診断運転を実施し、
ドア開閉診断運転中に、エレベータ利用者による呼びが発生した場合には、ドア開閉診断運転を中断して当該呼びに応答し、
当該呼びに応答後、ドア開閉診断運転を再開する場合には、中断前に実施済みの階床のドア開閉診断に続けてドア開閉診断運転を実施する、
ことを特徴とするエレベータの遠隔診断運転方法。
【請求項２】
前記エレベータ制御装置は、中断後にドア開閉診断運転を再開する場合、実施済みの階床と、現在の乗りかご位置に応じて、上下いずれの階床のドアからドア開閉診断運転を再開するかを判断する、
ことを特徴とする請求項１に記載のエレベータの遠隔診断運転方法。
【請求項３】
前記エレベータ制御装置は、診断日におけるエレベータの利用状況を過去の実績に基づき予め記憶しており、
ドア開閉診断運転の実施中に複数回の中断が発生した場合には、ドア開閉診断運転の中断前までの診断実施階床と診断未実施階床とに分けてドア開閉診断運転を分割し、
前記診断未実施階床については、前記記憶されたエレベータの利用状況に応じて診断時間を割り当てる、
ことを特徴とする請求項１又は２に記載のエレベータの遠隔診断運転方法。
【請求項４】
請求項１乃至３の何れか１項に記載のエレベータの遠隔診断運転方法を実行することを特徴とするエレベータ制御装置。
【請求項５】
請求項４に記載のエレベータ制御装置と通信回線を介して接続された遠隔監視センターは、遠隔診断日におけるドア開閉診断運転の実施階床と実施した階床の診断結果を保存するドア開閉診断履歴保存部と、ドア開閉診断履歴保存部に保存されたドア開閉診断実施階床と実施した階床の診断結果を表示するドア開閉診断履歴表示部と、を備え、
エレベータ制御装置から、ドア開閉診断の実施階床、実施した階床の診断結果を入力して前記ドア開閉診断履歴保存部に保存し、前記ドア開閉診断履歴表示部にてドア開閉診断運転の実施階床と実施した階床の診断結果を表示することにより、遠隔監視センターにてドア開閉診断状況を確認可能に構成したことを特徴とするエレベータの遠隔診断システム。
【請求項６】
前記遠隔監視センターは、遠隔診断日のドア開閉診断運転が完了したことを判断するドア開閉診断実施完了判断部と、ドア開閉診断運転が完了したことを表示するドア開閉診断完了表示部と、を備え、
ドア開閉診断履歴保存部に保存された診断履歴からドア開閉診断完了判断部がドア開閉診断運転が完了したと判断すると、ドア開閉診断完了表示部にてドア開閉診断が完了した旨を表示することを特徴とする請求項５に記載のエレベータの遠隔診断システム。
【請求項７】
請求項１乃至３の何れか１項に記載のエレベータの遠隔診断運転方法をエレベータ制御装置に実行させるための遠隔診断運転プログラム。
【発明の詳細な説明】
【技術分野】
【０００１】
本発明の実施形態は、エレベータの遠隔診断運転方法、エレベータ制御装置、エレベータの遠隔診断システム及びエレベータの遠隔診断運転プログラムに関する。
【背景技術】
【０００２】
エレベータに異常がないかを無人で診断する遠隔診断運転が知られている。遠隔診断運転では、エレベータが設置されている物件に対して、通信ネットワークを介して遠隔監視センターから遠隔自動診断運転信号を送信する。エレベータ側では、遠隔自動診断運転信号を受診すると、エレベータ制御装置内の、予め設定されたスケジュールを持つ診断プログラムを起動させてエレベータの自動運転を実施する。エレベータの遠隔診断運転は、遠隔診断開始条件が揃った時点でエレベータを最下階まで移動させた後、最上階へ向けて運転することで実施している。
【０００３】
従来の遠隔診断運転では、指定された時間に遠隔診断運転が開始された場合、１回で診断プログラムの全ての診断を実施しようとする。また、遠隔診断運転中にエレベータ利用者からの呼びが発生して遠隔診断運転が中断した場合には、最初から診断をやり直している。
【先行技術文献】
【特許文献】
【０００４】
【特許文献１】特許第４５６２７２７号公報
【特許文献２】特許第３２２４９２０号公報
【発明の概要】
【発明が解決しようとする課題】
【０００５】
しかし、従来方法では、遠隔診断運転が途中で中断してしまうと、最初から診断運転をやり直すこととなり、同じ階床を何回も診断することにもなり、効率的な遠隔診断運転を実施できない。場合によっては、診断運転が未完了のまま予定時間が過ぎてしまい、定期的な診断が完了できない場合もある。特に、高階床の建物であるほど発生することになる。
【０００６】
上記事情に鑑み本発明の実施形態は、エレベータ利用者の利便性を損なうことなく、エレベータの無駄な診断運転を極力低減させることのできるエレベータの遠隔診断運転方法、エレベータ制御装置、エレベータの遠隔診断システム及びエレベータの遠隔診断運転プログラムを提供することを目的とする。
【課題を解決するための手段】
【０００７】
上記目的を達成するための態様は、エレベータドアのドア開閉診断運転を実施するエレベータ制御装置が、予め設定されているドア開閉診断運転の実施時間が到来すると、エレベータ利用者がいないかどうかを判断し、エレベータ利用者がいない場合には、各階のドア開閉診断運転を実施し、ドア開閉診断運転中に、エレベータ利用者による呼びが発生した場合には、ドア開閉診断運転を中断して当該呼びに応答し、当該呼びに応答後、ドア開閉診断運転を再開する場合には、中断前に実施済みの階床のドア開閉診断に続けてドア開閉診断運転を実施することを特徴とする。
【図面の簡単な説明】
【０００８】
【図１】本発明の第１実施形態の構成を示すブロック図。
【図２】本発明の第１実施形態の処理手順を示すフローチャート。
【図３】本発明の第２実施形態の構成を示すブロック図。
【図４】本発明の第２実施形態の処理手順を示すフローチャート。
【図５】本発明の第２実施形態の処理手順を示すフローチャート。
【図６】本発明の第３実施形態の構成を示すブロック図。
【図７】本発明の第３実施形態の処理手順を示すフローチャート。
【図８】本発明の第３実施形態の処理手順を示すフローチャート。
【図９】本発明の第４実施形態の構成を示すブロック図。
【図１０】本発明の第４実施形態の処理手順を示すフローチャート。
【図１１】本発明の第４実施形態の処理手順を示すフローチャート。
【図１２】本発明の第４実施形態の処理手順を示すフローチャート。
【発明を実施するための形態】
【０００９】
＜第１実施形態＞
図１は本発明の第１実施形態の構成を示すブロック図である。
【００１０】
図１に示すように、エレベータ遠隔運転システムは、エレベータを制御するエレベータ制御装置１と遠隔監視センター１３とを備えている。
【００１１】
エレベータ制御装置１は、時間を把握する時計２と、時計２に基づき、予定された遠隔診断の時間が到来すると遠隔診断運転指令を出す遠隔診断指令部３と、ドア開閉診断運転を含めた遠隔診断運転を実施してよいかどうかを判断する遠隔診断運転実施判断部４とを備える。
【００１２】
また、エレベータ制御装置１は、ドア開閉診断運転の実施時間、実施した階床、及び実施した階床の診断結果を記憶するドア開閉診断実施階床記憶部５と、乗場呼びなどが発生した場合に遠隔診断運転実施判断部４へ呼び情報を送信する乗場情報検出部６とを備える。
【００１３】
さらに、エレベータ制御装置１は、エレベータ乗りかご内の階床ボタンやドア開閉ボタンなどが押されると遠隔診断運転実施判断部４へ乗りかご情報を送信する乗りかご情報検出部７と、遠隔診断運転実施判断部４より遠隔診断運転を実施する指令が来ると、乗りかごのドア開閉診断運転を含めた遠隔診断運転を制御する乗りかご運転制御部８とを備える。
【００１４】
さらに、エレベータ制御装置１は、ドア開閉診断運転のドア開閉の実施時間と実施階床と実施階床のドアが正常か異常かを判断し、ドア開閉の良否を含めた遠隔診断運転結果を受信する遠隔診断結果記憶部１０へ情報を送信するドア情報検出部９と、遠隔監視センターと信号の送受信を実施する信号送受信部１１とを備える。
【００１５】
遠隔監視センター１３は、エレベータ制御装置１との信号の送受信を実施する信号送受信部１２と、エレベータ制御装置１の遠隔診断指令部３に遠隔診断運転の開始日時を指令する遠隔診断時間指令部１４とを備える。
【００１６】
以上のように構成される第１の実施形態の動作を図２に示すフローチャートに基づいて説明する。
【００１７】
図２に示すように、エレベータが通常運転を行っている（Ｓ１）間に、エレベータ制御装置１内の時計２により遠隔診断運転の時間が到来すると、遠隔診断指令部３から遠隔診断運転実施判断部４へ遠隔診断運転の指令が出力される（Ｓ２YES）。次いで、乗場情報検出部６や乗りかご情報検出部７により、乗場ボタンやエレベータ乗りかご内のボタンが押されていないか否かが判断され、遠隔診断運転実施判断部４がエレベータの利用者がいないと判断すると（Ｓ３YES）、乗りかご運転制御部８は遠隔診断運転を開始する（Ｓ４）。遠隔診断指令部３から遠隔診断運転の指令が出力されてなく（Ｓ２NO）、乗場ボタンやエレベータ乗りかご内のボタンが押されており、エレベータの利用者がいる判断された場合にはＳ３NO）、通常運転を継続する。
【００１８】
遠隔診断運転にて各階床のドア開閉診断運転を開始するタイミングになると（Ｓ５YES）、乗りかご運転制御部８とドア情報検出部９より各階床のドア開閉に異常がないかの確認を行うドア開閉診断運転を開始する（Ｓ６）。ここで、ドア開閉診断運転とは、かごドア、及び各階の乗場ドアの開閉時間、開閉速度、トルク等のデータが正常であるか否かの確認を行う診断運転をいう。
【００１９】
ドア開閉診断運転を実施中にエレベータ利用者がいなければ（Ｓ７NO）、ドア開閉診断を継続する。エレベータの乗場ボタンなどが押されてエレベータ利用者が現れたと判断した場合（Ｓ７YES）には、ドア開閉診断運転を中断して、呼びに応答して通常運転を実施する（Ｓ８）。その時、ドア開閉診断運転の実施時間、実施階床、実施階床の診断結果はドア開閉診断実施階床記憶部５と遠隔診断結果記憶部１０に保存される。
【００２０】
エレベータが利用されている間（Ｓ９NO）、通常運転を継続する。エレベータが利用されていないと判断された場合（Ｓ９YES）、ドア開閉診断実施階床記憶部５より、ドア開閉診断を実施していない階床を取出して、ドア開閉診断運転を再開する（Ｓ１０）。一通りドア開閉診断運転が完了して、遠隔診断運転も完了した場合は（Ｓ１１YES）、通常運転に切り替わる（Ｓ１２）。ドア開閉診断運転結果を含めた遠隔診断結果は遠隔診断結果記憶部１０に保存される（Ｓ１３）。
【００２１】
ドア開閉診断実施階床記憶部５は、診断日の次の日になると履歴がリセットされる。また、遠隔診断の開始時間は遠隔監視センター１３からでなく、エレベータ制御装置１に直接入力することも可能である。さらに、遠隔診断結果は、遠隔監視センター１へ送信することも可能である。ドア開閉診断運転で異常と判断された階床があれば、先行で異常階床があったことを遠隔監視センターへ知らせることも可能である。
【００２２】
以上のように、第1の実施形態によれば、遠隔診断運転にドア開閉診断運転を含めた場合、ドア開閉診断運転が途中で中断する場合があっても、途中からドア開閉診断運転を再開することができる。
【００２３】
なお、第１の実施形態では、１回中断した場合を例として記載したが、何度中断しても同様の運転再開を実施することも可能である。
【００２４】
＜第２実施形態＞
次に第２実施形態について図３〜図５を用いて説明する。図３は本発明の第２実施形態の構成を示すブロック図である。
【００２５】
図３に示すように、第２実施形態では、第１実施形態の構成に加えて、ドア開閉診断開始階床・実施方向判断部１５を設けたことを特徴としている。ドア開閉診断開始階床・実施方向判断部１５は、遠隔診断運転実施判断部４より診断の指令とドア開閉診断運転がどこまで終了しているかの情報を受信した際、乗りかご情報検出部７から乗りかごの現在位置を受信して、ドア開閉診断運転を再開する際、どの階床から開始して上、下のどちらの方向に診断していくかを判断する。
【００２６】
次に、第２の実施形態の動作を図４、図５を参照して説明する。なお、図４のステップＳ２１〜Ｓ２５は、第１実施形態のステップＳ１〜Ｓ５の処理と同様であるため、その説明は省略する。
【００２７】
各階床のドア開閉異常がないかの確認を行うドア開閉診断運転を再開する際、ドア開閉診断開始階床・実施方向判断部１５は、乗りかご情報検出部７より現在の乗りかごの停止階床を受信し（Ｓ２６）、ドア開閉診断運転の診断開始階床と診断実施方向を決定する（Ｓ２７）。診断開始階床と診断実施方向が決まり次第、ドア開閉診断運転を実施する（Ｓ２８）。
【００２８】
例えば、２０階床の建物において、乗りかごが２階に停止している場合、１階から上へ順次、ドア開閉診断運転を実施していく。乗りかごが１８階に停止している場合には、２０階から下へ順次、ドア開閉診断を実施していく。
【００２９】
図５のステップＳ２９〜Ｓ３１は第１実施形態のステップＳ７〜Ｓ９の処理と同様であるため、その説明は省略する。
【００３０】
ステップＳ３１でドア開閉診断運転の中断後、遠隔診断運転実施判断部４がドア開閉診断運転を再開したとき（Ｓ３２）、ドア開閉診断開始階床・実施方向判断部１５は、遠隔診断運転実施判断部４がドア開閉診断実施階床記憶部５からドア開閉診断運転の実施階床を受信し（Ｓ３３）、さらに乗りかご情報検出部７から現在の乗りかごの停止階床を受信し（Ｓ３４）、ドア開閉診断の診断開始階床と診断実施方向を決定し、ドア開閉診断運転を実施する（Ｓ３５）。
【００３１】
例えば、２０階床の建物において、ドア開閉診断を１階〜７階まで実施済の状態で、乗りかごが２階に停止している場合には、診断再開時は、乗りかごを８階に移動させて、８階から上へ順次、ドア開閉診断運転を実施していく。ドア開閉診断を１階〜７階まで実施済の状態で、乗りかごが１８階に停止している場合には、診断再開時は、乗りかごを２０階に移動させて、２０階から下へ順次、ドア開閉診断運転を実施し、８階まで実施する。
【００３２】
一時中断後、ドア開閉診断運転を再開し、一通りドア開閉診断運転が完了し、遠隔診断運転が完了すると（Ｓ３６YES）、通常運転に切り替わる（Ｓ３７）。ドア開閉診断運転結果を含めた遠隔診断結果は遠隔診断結果記憶部１０に保存される（Ｓ３８）。
【００３３】
ドア開閉診断実施階床記憶部５は、診断日の次の日になると履歴がリセットされる。
また、遠隔診断の開始時間は遠隔監視センター１３からではなく、エレベータ制御装置１に直接入力することも可能である。さらに、遠隔診断結果は、遠隔監視センター１３へ送信することも可能である。ドア開閉診断運転で異常と判断された階床があれば、先行で異常階床があったことを遠隔監視センター１３へ知らせることも可能である。
【００３４】
以上のように、第２実施形態によれば、第１実施形態の効果に加えて、遠隔診断運転にドア開閉診断運転を含めた場合、ドア開閉診断運転を開始する前に、またはドア開閉診断運転が途中で中断してから再開する場合において、診断に費やす時間を最小にすることが可能である。
【００３５】
＜第３実施形態＞
次に、第３実施形態について図６〜図８を用いて説明する。図６は本発明の第３実施形態の構成を示すブロック図を示す。
【００３６】
図６に示すように、第３実施形態では、第２実施形態の構成に加えて、ドア診断運転分割設定部１６と、診断日エレベータ稼動状況記憶部１７とを備えることを特徴としている。診断日エレベータ稼動状況記憶部１７は、予定された診断日において、どの時間帯でエレベータが利用されているか等の利用状況を過去の実績に基づいて記憶している。ドア診断運転分割設定部１６は、ドア開閉診断運転が完了、又は中断までの実施時間、実施階床及び実施した階床の診断結果を記憶しているドア開閉診断実施階床記憶部５から診断実施階床と診断実施時間を受信し、診断日エレベータ稼動状況記憶部１７より診断日のエレベータが利用されていない時間を受信して、ドア開閉診断運転の中断が発生しないように、ドア開閉診断運転を分割するか否かを判断する。分割する場合には、どの時点（どの階床までの診断が終了したか）で分割をするかという分割のタイミングを判断する。１回でドア開閉診断運転が完了している場合は、ドア開閉診断実施階床記憶部５から、すべての階床のドア診断運転が完了した信号をドア診断運転分割設定部１６が受信して分割はしないこととなる。
【００３７】
次に、第３の実施形態の動作を図７、図８のフローチャートを参照して説明する。図７のステップＳ４１〜Ｓ４５の処理は、第１実施形態のステップＳ１〜Ｓ５、及び第２実施形態のステップＳ２１〜Ｓ２５の処理と同様であるため、その説明は省略する。
【００３８】
ドア開閉診断運転が開始されると（Ｓ４５YES）、遠隔診断運転実施判断部４は、ドア診断運転分割設定部１６からの分割の設定がなければ（Ｓ４６NO）、第２実施形態と同様にエレベータの現在の停止位置を認識し（Ｓ４８）、ドア開閉診断の診断開始階床と診断実施方向を決定（Ｓ４９）してから、ドア開閉診断を開始する（Ｓ５０）。
【００３９】
ドア開閉診断運転を実施中にエレベータ利用者がいなければ（Ｓ５１NO）、ドア開閉診断を継続し、エレベータ利用者が現れたと判断すると（Ｓ５１YES）、ドア開閉診断運転を中断して通常運転に切り替える（Ｓ５２）。その際、中断までのドア開閉診断運転の実施時間と実施階床数がドア開閉診断実施階床記憶部５からドア診断運転分割設定部１６に送信され、保存される（Ｓ５３）。ドア開閉診断運転が中断することが一定回数以上（例えば、２回以上）のデータになると（Ｓ５４YES）、中断発生頻度が高く、一度の診断運転では診断を完結できないと判断する。そこで、ドア開閉診断運転の中断前までの診断実施階床と診断未実施階床とに分けてドア開閉診断を分割する。分割された診断未実施階床の診断開始時間は、診断日エレベータ稼動状況記憶部１７から一定時間稼動していない時間を選択してドア診断運転分割設定部１６にて診断開始時間が設定され（Ｓ５５）、遠隔診断指令部３、遠隔診断運転実施判断部４に送信される。設定された後、ここでのドア開閉診断運転については、エレベータが利用されていなければ（Ｓ５６YES）、一通り診断運転を完了させる（Ｓ５７〜Ｓ６２YES、Ｓ６３、Ｓ６４）。分割設定されたドア開閉診断運転は次回の診断日以降で実施される。なお、図８のステップＳ５７〜Ｓ６２YESの処理、及びステップＳ６３、Ｓ６４の処理については、第２実施形態のＳ３２〜Ｓ３７の処理と同様であるため、その説明は省略する。
【００４０】
ここで、ステップＳ５５で実施されるドア開閉診断運転が分割された場合の診断運転について説明する。
【００４１】
遠隔診断指令部３から、分割によるドア開閉診断運転の開始時間が到来し遠隔診断運転実施判断部４に対して診断運転指令が送信されると、遠隔診断運転実施判断部４は、エレベータの利用がなければ、ドア開閉診断運転を開始する（Ｓ４５YES）。ドア開閉診断運転実施時に診断運転が分割された設定となっている場合（Ｓ４６YES）には、複数回に分割した全分割回数の内の何回目のドア開閉診断運転かをドア診断運転分割設定部１６から受信した情報から遠隔診断運転実施判断部４が判断し（Ｓ４７）、分割で設定されているドア開閉診断運転（Ｓ４８〜Ｓ６１）が実行される。そして、分割の最後でないドア開閉診断運転が完了と判断されると（Ｓ６２NO）、一旦、通常運転に切り替わり（Ｓ６５）、分割された分の実施階床診断結果が遠隔診断結果記憶部１０に保存される（Ｓ６４）。
【００４２】
遠隔診断運転実施判断部４が分割の最後のドア開閉診断運転が完了と判断すると（Ｓ６２YES）、通常運転に切り替わり（Ｓ６３）、遠隔診断結果が遠隔診断結果記憶部１０に保存される（Ｓ６４）。ドア開閉診断実施階床記憶部５は、診断日の次の日になると履歴がリセットされる。
【００４３】
なお、遠隔診断の開始時間は遠隔監視センター１３からでなく、エレベータ制御装置１に直接入力することも可能である。さらに、遠隔診断結果は、遠隔監視センター１３へ送信することも可能である。ドア開閉診断運転で異常と判断された階床があれば、先行で異常階床があったことを遠隔監視センター１３へ知らせることも可能である。
【００４４】
以上のように、第３実施形態によれば、第１、第２実施形態の効果に加えて、ドア開閉診断運転を予め分割し、ドア開閉診断運転の中断をなくすことで、効率の良いドア開閉診断運転を実現できる。
【００４５】
＜第４実施形態＞
次に、第４実施形態について図９〜図８を用いて説明する。図９は本発明の第４実施形態の構成を示すブロック図である。
【００４６】
図９に示すように、第４実施形態では、第３実施形態の構成に加えて、遠隔監視センター１は、遠隔診断結果保存部１８と、ドア開閉診断履歴保存部１９と、ドア開閉診断履歴表示部２０と、ドア開閉診断完了判断部２１と、ドア開閉診断完了表示部２２とを備えたこことを特徴としている。
【００４７】
遠隔診断結果保存部１８は、ドア開閉診断結果を含めた遠隔診断結果を保存する。ドア開閉診断履歴保存部１９は、ドア開閉診断の進捗状況がわかるようにドア開閉診断履歴情報を保存する。ドア開閉診断履歴表示部２０は、ドア開閉診断履歴保存部１９に保存されたドア開閉診断履歴情報を表示する機能を有する。ドア開閉診断完了判断部２１は、ドア開閉診断履歴表示部２０のドア開閉診断履歴情報からドア開閉診断運転が一通り完了したか否かを判断する機能を有する。ドア開閉診断完了表示部２２は、ドア開閉診断完了判断部２１により完了と判断された場合には、ドア開閉診断運転が完了したことを表示する機能を有する。
【００４８】
次に、第４の実施形態の動作を図１０〜図１２のフローチャートを参照して説明する。なお、図１０、図１１のステップＳ７１〜Ｓ９５の処理は第３実施形態のステップＳ４１〜Ｓ６５の処理と同じであるため、その説明は省略する。
【００４９】
第４実施形態では、ドア開閉診断運転を含めた遠隔診断運転結果がエレベータ制御装置１の遠隔診断結果記憶部１０に保存されると（Ｓ９４）、信号送受信部１１，１２を介して遠隔監視センター１３の遠隔診断結果保存部１８に送信される（Ｓ９６）。遠隔監視センター１３の遠隔診断結果保存部１８では、ドア開閉診断結果を含めた遠隔診断結果を保存する。また、ドア開閉診断履歴保存部１９は、ドア開閉診断運転の全階床に対して、実施した階床と実施した階床の診断結果を保存する（Ｓ９７）。ドア開閉診断履歴保存部１９に保存された情報と進捗状況を遠隔監視センター１３で確認できるようにドア開閉診断の実施階床と実施階床の診断結果をドア開閉診断履歴表示部２０に表示する（Ｓ９８）。さらに、ドア開閉診断履歴表示部２０の表示情報をドア開閉診断完了判断部２１に送信され、ドア開閉診断完了判断部２１よりドア開閉診断が全階床完了したと判断すると（Ｓ９９YES）、遠隔監視センタ−１３にドア開閉診断運転が全階床完了したことをドア開閉診断完了表示部２２に表示する。
【００５０】
ドア開閉診断が全階床終わっていない場合は（Ｓ９９NO）、ドア開閉診断完了表示部２２の全完了表示は出さないで次回の診断結果待ちとする。
【００５１】
このように、第４実施形態によれば、第１〜第３実施形態と同様の効果に加えて、遠隔監視センター１３で各物件のドア開閉診断運転の進捗状況を確認することができることで、全体の進捗状況を遠隔監視センター１３でも確認することができる。
【００５２】
以上、各実施形態によれば、遠隔診断運転の各階床のドア開閉診断運転の実施階床を分割で実施することにより、遠隔診断運転のドア開閉診断運転のやり直しを回避することができ、遠隔診断運転の効率を上げることができる。
【００５３】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１…エレベータ制御装置、２…時計、３…遠隔診断指令部、４…遠隔診断運転実施判断部、５…ドア開閉診断実施階床記憶部、６…乗場情報検出部、７…乗りかご情報検出部、８…乗りかご運転制御部、９…ドア情報検出部、１０…遠隔診断結果記憶部、１１…信号送受信部、１２…信号送受信部、１３…遠隔監視センター、１４…遠隔診断時間指令部、１５…ドア開閉診断開始階床・実施方向判断部、１６…ドア診断運転分割設定部、１７…診断日エレベータ稼動状況記憶部、１８…遠隔診断結果保存部、１９…ドア開閉診断履歴保存部、２０…ドア開閉診断履歴表示部、２１…ドア開閉診断完了判断部、２２…ドア開閉診断完了表示部。
【図１】
2019043734.tif 000003
【図２】
2019043734.tif 000004
【図３】
2019043734.tif 000005
【図４】
2019043734.tif 000006
【図５】
2019043734.tif 000007
【図６】
2019043734.tif 000008
【図７】
2019043734.tif 000009
【図８】
2019043734.tif 000010
【図９】
2019043734.tif 000011
【図１０】
2019043734.tif 000012
【図１１】
2019043734.tif 000013
【図１２】
2019043734.tif 000014
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
エレベータドアのドア開閉診断運転を実施するエレベータ制御装置が、
予め設定されているドア開閉診断運転の実施時間が到来すると、エレベータ利用者がいないかどうかを判断し、
エレベータ利用者がいない場合には、前記実施時間が到来した際の停止階床から各階のドア開閉診断運転を実施し、
ドア開閉診断運転中に、エレベータ利用者による呼びが発生した場合には、ドア開閉診断運転を中断して当該呼びに応答し、
当該呼びに応答後、ドア開閉診断運転を再開する場合には、中断前に実施が完了している階床のドア開閉診断に続けてドア開閉診断運転を実施する、
ことを特徴とするエレベータの遠隔診断運転方法。
【請求項２】
前記エレベータ制御装置は、中断後にドア開閉診断運転を再開する場合、実施済みの階床と、現在の乗りかご位置に応じて、上下いずれの階床のドアからドア開閉診断運転を再開するかを判断する、
ことを特徴とする請求項１に記載のエレベータの遠隔診断運転方法。
【請求項３】
前記エレベータ制御装置は、診断日におけるエレベータの利用状況を過去の実績に基づき予め記憶しており、
ドア開閉診断運転の実施中に複数回の中断が発生した場合には、ドア開閉診断運転の中断前までの診断実施階床と診断未実施階床とに分けてドア開閉診断運転を分割し、
前記診断未実施階床については、前記記憶されたエレベータの利用状況に応じて診断時間を割り当てる、
ことを特徴とする請求項１又は２に記載のエレベータの遠隔診断運転方法。
【請求項４】
請求項１乃至３の何れか１項に記載のエレベータの遠隔診断運転方法を実行することを特徴とするエレベータ制御装置。
【請求項５】
請求項４に記載のエレベータ制御装置と通信回線を介して接続された遠隔監視センターは、遠隔診断日におけるドア開閉診断運転の実施階床と実施した階床の診断結果を保存するドア開閉診断履歴保存部と、ドア開閉診断履歴保存部に保存されたドア開閉診断実施階床と実施した階床の診断結果を表示するドア開閉診断履歴表示部と、を備え、
エレベータ制御装置から、ドア開閉診断の実施階床、実施した階床の診断結果を入力して前記ドア開閉診断履歴保存部に保存し、前記ドア開閉診断履歴表示部にてドア開閉診断運転の実施階床と実施した階床の診断結果を表示することにより、遠隔監視センターにてドア開閉診断状況を確認可能に構成したことを特徴とするエレベータの遠隔診断システム。
【請求項６】
前記遠隔監視センターは、遠隔診断日のドア開閉診断運転が完了したことを判断するドア開閉診断実施完了判断部と、ドア開閉診断運転が完了したことを表示するドア開閉診断完了表示部と、を備え、
ドア開閉診断履歴保存部に保存された診断履歴からドア開閉診断完了判断部がドア開閉診断運転が完了したと判断すると、ドア開閉診断完了表示部にてドア開閉診断が完了した旨を表示することを特徴とする請求項５に記載のエレベータの遠隔診断システム。
【請求項７】
請求項１乃至３の何れか１項に記載のエレベータの遠隔診断運転方法をエレベータ制御装置に実行させるための遠隔診断運転プログラム。